(57)【要約】【課題】本発明は、他社の固有ＩＤに基づくコンテンツ送信リクエストを受信した場合にも、コンテンツ送信リクエストに応じたコンテンツを配信することができるコンテンツ配信システムおよびコンテンツ配信方法を提供することを課題とする。【解決手段】自社の固有ＩＤと他社の固有ＩＤとを対応づけた固有ＩＤ対応テーブルを用いて他社の固有ＩＤを自社の固有ＩＤに変換する固有ＩＤ変換部２１を設け、リクエスト応答部２３は、コンテンツ送信リクエストに含まれている固有ＩＤに基づいてデータベース２２に記憶されているコンテンツが特定できない場合には、コンテンツ送信リクエストに含まれている固有ＩＤを他社の固有ＩＤであると判断し、固有ＩＤ変換部２１によって他社の固有ＩＤを自社の固有ＩＤに変換させ、変換させた自社の固有ＩＤに基づいてデータベース２２に記憶されているコンテンツを特定して配信する。【選択図】        図１
2007208804.tif 000002
【特許請求の範囲】
【請求項１】
自社の固有ＩＤを付与したコンテンツをデータベースに記憶させて、前記固有ＩＤを含むコンテンツ送信リクエストを受信すると、前記固有ＩＤに基づいて前記データベースに記憶されている前記コンテンツを特定してネットワーク経由で配信するコンテンツ配信システムであって、
前記コンテンツ送信リクエストに含まれている前記固有ＩＤに基づいて前記データベースに記憶されている前記コンテンツを特定して前記ネットワーク経由で配信するリクエスト応答手段と、
自社の前記固有ＩＤと他社の前記固有ＩＤとを対応づけた固有ＩＤ対応テーブルを用いて他社の前記固有ＩＤを自社の前記固有ＩＤに変換する固有ＩＤ変換手段とを具備し、
前記リクエスト応答手段は、前記コンテンツ送信リクエストに含まれている前記固有ＩＤに基づいて前記データベースに記憶されている前記コンテンツが特定できない場合には、前記コンテンツ送信リクエストに含まれている前記固有ＩＤを他社の前記固有ＩＤであると判断し、前記固有ＩＤ変換手段によって他社の前記固有ＩＤを自社の前記固有ＩＤに変換させ、変換させた自社の前記固有ＩＤに基づいて前記データベースに記憶されている前記コンテンツを特定して前記ネットワーク経由で配信することを特徴とするコンテンツ配信システム。
【請求項２】
自社の固有ＩＤを付与したコンテンツをデータベースに記憶させて、前記固有ＩＤを含むコンテンツ送信リクエストを受信すると、前記固有ＩＤに基づいて前記データベースに記憶されている前記コンテンツを特定してネットワーク経由で配信するコンテンツ配信システムに、前記ネットワーク経由で接続された固有ＩＤ応答装置であって、
各社の前記固有ＩＤを対応づける固有ＩＤ対応テーブルが記憶されており、
前記固有ＩＤと会社を識別する識別コードとが前記コンテンツ配信システムから受信されると、前記固有ＩＤ対応テーブルを用いて、受信された前記固有ＩＤを前記識別コードで特定される会社の前記固有ＩＤに変換して前記コンテンツ配信システムに返信させることを特徴とする固有ＩＤ応答装置。
【請求項３】
自社の固有ＩＤを付与したコンテンツをデータベースに記憶しておき、前記固有ＩＤを含むコンテンツ送信リクエストを受信すると、前記固有ＩＤに基づいて前記データベースに記憶している前記コンテンツを特定してネットワーク経由で配信するコンテンツ配信方法であって、
自社の前記固有ＩＤと他社の前記固有ＩＤとを対応づけた固有ＩＤ対応テーブルを用いて他社の前記固有ＩＤを自社の前記固有ＩＤに変換する固有ＩＤ変換手段とを具備し、
前記コンテンツ送信リクエストに含まれている前記固有ＩＤに基づいて記憶している前記コンテンツが特定できない場合には、前記コンテンツ送信リクエストに含まれている前記固有ＩＤを他社の前記固有ＩＤであると判断し、
自社の前記固有ＩＤと他社の前記固有ＩＤとを対応づけた固有ＩＤ対応テーブルを用いて他社の前記固有ＩＤを自社の前記固有ＩＤに変換し、
変換した自社の前記固有ＩＤに基づいて記憶している前記コンテンツを特定して前記ネットワーク経由で配信することを特徴とするコンテンツ配信方法。
【請求項４】
各社の前記固有ＩＤを対応づける固有ＩＤ対応テーブルを記憶しておき、
自社の固有ＩＤを付与したコンテンツをデータベースに記憶させて、前記固有ＩＤを含むコンテンツ送信リクエストを受信すると、前記固有ＩＤに基づいて前記データベースに記憶されている前記コンテンツを特定してネットワーク経由で配信するコンテンツ配信システムから前記固有ＩＤと会社を識別する識別コードとを受信し、
前記固有ＩＤ対応テーブルを用いて、受信した前記固有ＩＤを前記識別コードで特定される会社の前記固有ＩＤに変換し、
変換した前記固有ＩＤを前記コンテンツ配信システムに返信することを特徴とする固有ＩＤ応答方法。
【発明の詳細な説明】
【技術分野】
【０００１】
本発明は、映像や音楽等のコンテンツを記録し、記録したコンテンツを再生するオーディオプレーヤ等の再生装置に対して、コンテンツをインターネット等のネットワーク経由で配信するコンテンツ配信システムおよびコンテンツ配信方法に関する。
【背景技術】
【０００２】
近年、映像や音楽等のコンテンツを再生するオーディオプレーヤ等の再生装置においては、コンテンツのデータファイルを記録するデータファイル記録手段としてＨＤＤやシリコンメモリ等の大容量の記録手段が用いられるようになってきており、データファイル記録手段に大量のコンテンツ（データファイル）を記録しておくことができるようになっている。
【０００３】
このように大量に記録されたコンテンツの中から、場所や状況に応じて、ユーザが所望する複数のコンテンツのみを再生する機能としてプレイリストと呼ばれるものがある。プレイリストは、ユーザの好みに応じて選択された複数のコンテンツが記載されたリストであり、コンテンツが記録された場所を示す装置内アドレスやファイル名等が記述され、プレイリストに基づく再生が指示されると、プレイリストに記載された複数のコンテンツが順次再生される。
【０００４】
従来のプレイリストは、再生装置内にコンテンツが記録されていることが前提となっており、他の再生装置で用いることができない。すなわち、プレイリストに記載されているコンテンツが他の再生装置に記録されているとは限らないと共に、プレイリストに記載されているコンテンツが他の再生装置に記録されていたとしても、プレイリストに記述されている装置内アドレスおよびファイル名は、プレイリストが作成された再生装置特有のものであり、他の再生装置においては、プレイリストに記述されている装置内アドレスおよびファイル名で該当するコンテンツが記録されていないため、プレイリストに基づいた再生を行うことができない。
【０００５】
そこで、コンテンツを特定する固有ＩＤを記述することで、複数の再生装置で共用することができる新たなプレイリストが提案されている（例えば、特許文献１参照）。プレイリストに固有ＩＤを記述しておくことで、固有ＩＤに基づいてデータファイル記録手段に記録されたデータファイルを特定して再生することができると共に、データファイル記録手段にデータファイルが記録されていないコンテンツを固有ＩＤに基づいてネットワーク経由で収集して再生することができるようになっている。
【０００６】
しかしながら、従来技術で用いられるプレイリストは、第三者も使用できるようにコンテンツの固有ＩＤが記述されているが、コンテンツの固有ＩＤは、配信元によって任意に付与されており、同一のコンテンツに対して、配信元によって異なる固有ＩＤが付与されている。従って、コンテンツを配信するコンテンツ配信システムにおいては、他社の固有ＩＤに基づくコンテンツ送信リクエストを受信した場合に、他社の固有ＩＤでは、コンテンツを特定できないため、コンテンツ送信リクエストに応じたコンテンツを配信することができないという問題があった。
【特許文献１】特開２００５−１００６１２号公報
【発明の開示】
【発明が解決しようとする課題】
【０００７】
本発明は斯かる問題点に鑑みてなされたものであり、その目的とするところは、他社の固有ＩＤに基づくコンテンツ送信リクエストを受信した場合にも、コンテンツ送信リクエストに応じたコンテンツを配信することができるコンテンツ配信システムおよびコンテンツ配信方法を提供する点にある。
【課題を解決するための手段】
【０００８】
本発明は上記課題を解決すべく、以下に掲げる構成とした。
本発明のコンテンツ配信システムは、自社の固有ＩＤを付与したコンテンツをデータベースに記憶させて、前記固有ＩＤを含むコンテンツ送信リクエストを受信すると、前記固有ＩＤに基づいて前記データベースに記憶されている前記コンテンツを特定してネットワーク経由で配信するコンテンツ配信システムであって、前記コンテンツ送信リクエストに含まれている前記固有ＩＤに基づいて前記データベースに記憶されている前記コンテンツを特定して前記ネットワーク経由で配信するリクエスト応答手段と、自社の前記固有ＩＤと他社の前記固有ＩＤとを対応づけた固有ＩＤ対応テーブルを用いて他社の前記固有ＩＤを自社の前記固有ＩＤに変換する固有ＩＤ変換手段とを具備し、前記リクエスト応答手段は、前記コンテンツ送信リクエストに含まれている前記固有ＩＤに基づいて前記データベースに記憶されている前記コンテンツが特定できない場合には、前記コンテンツ送信リクエストに含まれている前記固有ＩＤを他社の前記固有ＩＤであると判断し、前記固有ＩＤ変換手段によって他社の前記固有ＩＤを自社の前記固有ＩＤに変換させ、変換させた自社の前記固有ＩＤに基づいて前記データベースに記憶されている前記コンテンツを特定して前記ネットワーク経由で配信することを特徴とする。
【０００９】
さらに、本発明のコンテンツ配信システムにおいては、自社の固有ＩＤを付与したコンテンツをデータベースに記憶させて、前記固有ＩＤを含むコンテンツ送信リクエストを受信すると、前記固有ＩＤに基づいて前記データベースに記憶されている前記コンテンツを特定してネットワーク経由で配信するコンテンツ配信システムに、前記ネットワーク経由で接続された固有ＩＤ応答装置であって、各社の前記固有ＩＤを対応づける固有ＩＤ対応テーブルが記憶されており、前記固有ＩＤと会社を識別する識別コードとが前記コンテンツ配信システムから受信されると、前記固有ＩＤ対応テーブルを用いて、受信された前記固有ＩＤを前記識別コードで特定される会社の前記固有ＩＤに変換して前記コンテンツ配信システムに返信させることを特徴とする。
【００１０】
また、本発明のコンテンツ配信は、自社の固有ＩＤを付与したコンテンツをデータベースに記憶しておき、前記固有ＩＤを含むコンテンツ送信リクエストを受信すると、前記固有ＩＤに基づいて前記データベースに記憶している前記コンテンツを特定してネットワーク経由で配信するコンテンツ配信方法であって、自社の前記固有ＩＤと他社の前記固有ＩＤとを対応づけた固有ＩＤ対応テーブルを用いて他社の前記固有ＩＤを自社の前記固有ＩＤに変換する固有ＩＤ変換手段とを具備し、前記コンテンツ送信リクエストに含まれている前記固有ＩＤに基づいて記憶している前記コンテンツが特定できない場合には、前記コンテンツ送信リクエストに含まれている前記固有ＩＤを他社の前記固有ＩＤであると判断し、自社の前記固有ＩＤと他社の前記固有ＩＤとを対応づけた固有ＩＤ対応テーブルを用いて他社の前記固有ＩＤを自社の前記固有ＩＤに変換し、変換した自社の前記固有ＩＤに基づいて記憶している前記コンテンツを特定して前記ネットワーク経由で配信することを特徴とする。
【００１１】
さらに、本発明のコンテンツ配信システムにおいては、各社の前記固有ＩＤを対応づける固有ＩＤ対応テーブルを記憶しておき、自社の固有ＩＤを付与したコンテンツをデータベースに記憶させて、前記固有ＩＤを含むコンテンツ送信リクエストを受信すると、前記固有ＩＤに基づいて前記データベースに記憶されている前記コンテンツを特定してネットワーク経由で配信するコンテンツ配信システムから前記固有ＩＤと会社を識別する識別コードとを受信し、前記固有ＩＤ対応テーブルを用いて、受信した前記固有ＩＤを前記識別コードで特定される会社の前記固有ＩＤに変換し、変換した前記固有ＩＤを前記コンテンツ配信システムに返信することを特徴とする。
【発明の効果】
【００１２】
本発明のコンテンツ配信システムおよびコンテンツ配信方法は、自社の固有ＩＤと他社の固有ＩＤとを対応づけた固有ＩＤ対応テーブルを用いて他社の固有ＩＤを自社の固有ＩＤに変換する固有ＩＤ変換手段を設け、コンテンツ送信リクエストに含まれている固有ＩＤに基づいてデータベースに記憶されているコンテンツが特定できない場合には、コンテンツ送信リクエストに含まれている固有ＩＤを他社の固有ＩＤであると判断し、固有ＩＤ変換手段によって他社の固有ＩＤを自社の固有ＩＤに変換させ、変換させた自社の固有ＩＤに基づいてデータベースに記憶されているコンテンツを特定してネットワーク経由で配信するように構成することにより、他社の固有ＩＤに基づくコンテンツ送信リクエストを受信した場合にも、他社の固有ＩＤを自社の固有ＩＤに変換し、変換した自社の固有ＩＤに基づいてコンテンツを特定することで、コンテンツ送信リクエストに応じたコンテンツを配信することができるため、コンテンツ配信業者は、販売機会を逃がすことなく、コンテンツの販売を行うことができ、ユーザは、コンテンツ配信業者を任意に選択することができるため、利便性が向上するという効果を奏する。
【００１３】
さらに、コンテンツ配信システムおよびコンテンツ配信方法は、各社の固有ＩＤを対応づける固有ＩＤ対応テーブルが記憶されており、固有ＩＤと会社を識別する識別コードとが受信されると、固有ＩＤ対応テーブルを用いて、受信された固有ＩＤを識別コードで特定される会社の固有ＩＤに変換して返信させる固有ＩＤ応答装置をネットワーク上に設けることにより、例えばコンテンツ配信業界において、各社の固有ＩＤを一元管理することができるため、固有ＩＤ対応テーブルのメンテナンスを容易に行うことができるという効果を奏する。
【発明を実施するための最良の形態】
【００１４】
以下、本発明の実施の形態を図面に基づいて詳細に説明する。
【００１５】
（第１の実施の形態）
図１は、本発明に係るコンテンツ配信システムの第１の実施の形態の構成を示すブロック図であり、図２は、図１に示す固有ＩＤ変換部に記憶されている固有ＩＤ対応テーブル例を示す図であり、図３は、図１に示す再生装置で用いられるプレイリスト例を示す図である。
【００１６】
第１の実施の形態のコンテンツ配信システム２０ａは、図１を参照すると、映像や音楽等のコンテンツを配信するコンテンツ配信業者Ａによって設置され、インターネット等のネットワーク１０経由でコンテンツのデータファイルを受信する再生装置３０に対して、ネットワーク１０を経由してコンテンツのデータファイルを配信するように構成されている。なお、コンテンツ配信業者Ｂによって設置されたコンテンツ配信システム２０ｂもネットワーク１０に接続されており、コンテンツ配信システム２０ａから配信されるコンテンツと、コンテンツ配信システム２０ｂから配信されるコンテンツとは、同一のコンテンツであっても異なる固有ＩＤが付与されている。
【００１７】
コンテンツ配信システム２０ａは、プログラム制御によって動作する１以上の情報処理装置からなるサーバシステムであり、再生装置３０からの各種リクエストに応答するＷｅｂサーバとしての機能と、データを配信するデータ配信サーバとしての機能とを有し、固有ＩＤ変換部２１と、データベース２２と、リクエスト応答部２３と、送受信部２４とを備えている。
【００１８】
固有ＩＤ変換部２１は、図２に示すような、自社（コンテンツ配信業者Ａ）の固有ＩＤと他社（コンテンツ配信業者Ｂ）の固有ＩＤとを対応づける固有ＩＤ対応テーブルを記憶しており、入力された他社の固有ＩＤを自社の固有ＩＤに変換して出力する。なお、図２には、コンテンツ配信業者Ａの固有ＩＤと、コンテンツ配信業者Ｂの固有ＩＤとを対応づける固有ＩＤ対応テーブル例を示しているが、コンテンツに固有ＩＤを付与しているコンテンツ配信業者の全てを網羅した固有ＩＤ対応テーブルであることが望ましい。
【００１９】
データベース２２は、ＨＤＤ等の記録手段であり、販売対象のコンテンツのデータファイルが記録されており、記録されているコンテンツのデータファイルは、コンテンツに付与された固有ＩＤによって管理されている。
【００２０】
リクエスト応答部２３は、送受信部２４によってネットワーク１０経由で再生装置３０からコンテンツの固有ＩＤを含むコンテンツ送信リクエストが受信されると、コンテンツ送信リクエストに含まれる固有ＩＤに基づいてデータベース２２からコンテンツのデータファイルを読み出し、読み出したコンテンツのデータファイルを送受信部２４によってネットワーク１０経由で再生装置３０に配信する。
【００２１】
送受信部２４は、有線もしくは無線でネットワーク１０に接続する機能を有し、ネットワーク１０を介して再生装置３０と情報通信を行う。
【００２２】
再生装置３０は、プログラム制御によって動作し、映像や音楽等のコンテンツを再生するオーディオプレーヤ等の携帯型の再生装置であり、送受信部３１と、情報記録部３２と、表示部３３と、操作部３４と、再生処理部３５と、データ管理部３６とを備え、ネットワーク１０を介してコンテンツ配信システム２０ａ、２０ｂと、第三者が所有するパソコン等の情報処理装置４０とに接続可能に構成されている。
【００２３】
再生装置３０で作成およびコンテンツの収集に用いられるプレイリストは、再生するコンテンツの一覧が記載されたリストであり、図３に示すように、コンテンツを特定する固有ＩＤが記述されており、固有ＩＤに基づいてコンテンツを収集できるようになっている。なお、図３に示すプレイリスト例は、コンテンツ配信業者Ｂによって付与された固有ＩＤが記述されている。
【００２４】
送受信部３１は、有線もしくは無線でネットワーク１０に接続する機能を有し、ネットワーク１０を介してコンテンツ配信システム２０ａ、２０ｂおよび情報処理装置４０と情報通信を行う機能を有する。
【００２５】
情報記録部３２は、ＨＤＤやシリコンメモリ等の記録手段であり、コンテンツ配信システム２０ａ、２０ｂから受信したデータファイルが記録されるデータファイル記録部３２１と、ネットワーク１０経由で受信したプレイリストが記録されるプレイリスト記録部３２２とからなる。
【００２６】
表示部３３は、液晶ディスプレイ等の表示手段であり、コンテンツに映像データが含まれている場合に、再生処理部３５によって再生された映像が表示されると共に、コンテンツ収集時には、収集するコンテンツを選択するために、プレイリスト記録部３２２に記録されているプレイリストの一覧やプレイリストに記載されているコンテンツの一覧が表示される。
【００２７】
操作部３４は、操作ボタン等の操作手段であり、データファイル記録部３２１にデータファイルが記録されているコンテンツの再生操作に関する各種入力が行われると共に、コンテンツ収集時には、プレイリスト一覧の表示を指示するプレイリスト表示指示入力、表示されたプレイリストを選択して記載されたコンテンツ一覧の表示を指示するプレイリスト選択入力、表示されたコンテンツを選択するコンテンツ選択入力、選択したコンテンツの収集を指示するコンテンツ収集指示入力が行われる。
【００２８】
再生処理部３５は、情報記録部３２のデータファイル記録部３２１に記録されているデータファイルを伸長して再生し、映像は、表示部３３に表示させ、音声は、接続されたヘッドフォン５０に出力する。
【００２９】
データ管理部３６は、送受信部３１、情報記録部３２、表示部３３および操作部３４を制御して、ネットワーク１０経由でコンテンツを収集するコンテンツ収集動作を実行する。
【００３０】
次に、第１の実施の形態のコンテンツ配信動作について図４を参照して詳細に説明する。
図４は、図１に示すコンテンツ配信システムにおけるコンテンツ配信動作を説明するためのフローチャートである。
【００３１】
再生装置３０において、プレイリスト記録部３２２に記録されているプレイリストの中に、コンテンツ配信システム２０ａ、２０ｂや情報処理装置４０等で作成され、ネットワーク１０経由で受信したものが含まれている場合には、プレイリストに記載されているコンテンツのデータファイルがデータファイル記録部３２１に記録されていないことが考えられ、コンテンツを収集するコンテンツ収集動作が行われる。
【００３２】
まず、データ管理部３６は、操作部３４からのプレイリスト表示指示入力を受け付け、プレイリスト表示指示入力を受け付けると、表示部３３にプレイリスト記録部３２２に記録されているプレイリストの一覧を表示させる。
【００３３】
次に、データ管理部３６は、操作部３４からのプレイリスト選択入力を受け付け、プレイリスト選択入力を受け付けると、表示部３３に選択されたプレイリストに記載されているコンテンツの一覧を表示させる。
【００３４】
次に、データ管理部３６は、操作部３４からのコンテンツ選択入力を受け付けると共に、操作部３４からのコンテンツ収集指示入力を受け付け、コンテンツ選択入力とコンテンツ収集指示入力とを受け付けると、コンテンツ選択入力によって指定されたコンテンツの固有ＩＤを含むコンテンツ送信リクエストを作成し、作成したコンテンツ送信リクエストを送受信部３１によってネットワーク１０経由でコンテンツ配信システム２０ａに送信する。例えば、図３に示すプレイリスト例において、１番目のコンテンツが指定された場合には、１番目のコンテンツの固有ＩＤ「♯♯Ｂ」を含むコンテンツ送信リクエストが再生装置３０からコンテンツ配信システム２０ａに送信される。
【００３５】
コンテンツ配信システム２０ａの送受信部２４は、ネットワーク１０経由で再生装置３０からコンテンツの固有ＩＤを含むコンテンツ送信リクエストを受信すると（ステップＡ１）、受信したコンテンツ送信リクエストに含まれる固有ＩＤをリクエスト応答部２３に出力し、リクエスト応答部２３は、入力された固有ＩＤに基づいてデータベース２２からコンテンツのデータファイルを読み出し（ステップＡ２）、読み出しに成功したか否かを判断する（ステップＡ３）。例えば、送受信部２４によってコンテンツの固有ＩＤ「♯♯Ｂ」を含むコンテンツ送信リクエストが受信された場合には、固有ＩＤ「♯♯Ｂ」がリクエスト応答部２３に入力され、リクエスト応答部２３は、固有ＩＤ「♯♯Ｂ」に基づいてデータベース２２からコンテンツのデータファイルを読み出すことになる。
【００３６】
ステップＡ３で読み出しに失敗した場合には、固有ＩＤが他社のものであると考えられるため、リクエスト応答部２３は、読み出しに用いた固有ＩＤを固有ＩＤ変換部２１に出力し、固有ＩＤ変換部２１は、記憶している固有ＩＤ対応テーブルを用いて、入力された固有ＩＤを自社の固有ＩＤに変換してリクエスト応答部２３に出力し（ステップＡ４）、ステップＡ２に戻る。例えば、リクエスト応答部２３によって、固有ＩＤ「♯♯Ｂ」に基づいてデータベース２２からコンテンツのデータファイルを読み出した場合には、固有ＩＤ「♯♯Ｂ」が他社の固有ＩＤであるため、読み出しに失敗することになり、固有ＩＤ変換部２１によって、固有ＩＤ「♯♯Ｂ」が自社の固有ＩＤ「＊＊Ｂ」に変換されてリクエスト応答部２３に入力されることになる。
【００３７】
ステップＡ３で読み出しに成功した場合には、リクエスト応答部２３は、読み出したコンテンツのデータファイルを送受信部２４によってネットワーク１０経由で再生装置３０に送信し（ステップＡ５）、コンテンツ配信動作を終了する。コンテンツ送信リクエストに含まれているコンテンツの固有ＩＤが元々自社のものである場合と、固有ＩＤ変換部２１によって他社の固有ＩＤから自社の固有ＩＤに変換された場合とに、ステップＡ３で読み出しに成功することになる。これにより、コンテンツ配信システム２０ａは、再生装置３０から受信したコンテンツ送信リクエストに含まれている固有ＩＤが他社のものであっても、再生装置３０からのコンテンツ送信リクエストに応じたコンテンツのデータファイルを配信することができる。
【００３８】
再生装置３０の送受信部３１は、ネットワーク１０経由でコンテンツ配信システム２０ａからコンテンツのデータファイルを受信すると、受信したコンテンツのデータファイルをデータファイル記録部３２１に記録させ、コンテンツ収集動作を終了する。
【００３９】
以上説明したように、第１の実施の形態によれば、自社の固有ＩＤと他社の固有ＩＤとを対応づけた固有ＩＤ対応テーブルを用いて他社の固有ＩＤを自社の固有ＩＤに変換する固有ＩＤ変換部２１を設け、リクエスト応答部２３は、コンテンツ送信リクエストに含まれている固有ＩＤに基づいてデータベース２２に記憶されているコンテンツが特定できない場合には、コンテンツ送信リクエストに含まれている固有ＩＤを他社の固有ＩＤであると判断し、固有ＩＤ変換部２１によって他社の固有ＩＤを自社の固有ＩＤに変換させ、変換させた自社の固有ＩＤに基づいてデータベース２２に記憶されているコンテンツを特定してネットワーク１０経由で配信するように構成することにより、他社の固有ＩＤに基づくコンテンツ送信リクエストを受信した場合にも、他社の固有ＩＤを自社の固有ＩＤに変換し、変換した自社の固有ＩＤに基づいてコンテンツを特定することで、コンテンツ送信リクエストに応じたコンテンツを配信することができるため、コンテンツ配信業者は、販売機会を逃がすことなく、コンテンツの販売を行うことができ、ユーザは、コンテンツ配信業者を任意に選択することができるため、利便性が向上するという効果を奏する。
【００４０】
（第１の実施の形態）
図５は、本発明に係るコンテンツ配信システムの第２の実施の形態の構成を示すブロック図である。
【００４１】
第２の実施の形態では、個別のコンテンツ配信システム２０ａ内でコンテンツの固有ＩＤを変換するように構成したが、第２の実施の形態では、図５を参照すると、ネットワーク１０に接続されている固有ＩＤ応答装置６０を設け、各コンテンツ配信システム２０ａ、２０ｂからの固有ＩＤの問い合わせに対し、問い合わせを行ったコンテンツ配信システム２０ａ、２０ｂで用いられている固有ＩＤに変換して送信するように構成されている。
【００４２】
コンテンツ配信システム２０ａは、再生装置３０から他社の固有ＩＤ（例えば、コンテンツ配信業者Ｂが付与した固有ＩＤ）を含むコンテンツ送信リクエストを受信すると、他社の固有ＩＤを、自社（コンテンツ配信業者Ａ）の識別コードと共に固有ＩＤ応答装置６０に送信する。
【００４３】
固有ＩＤ応答装置６０には、各社の固有ＩＤを対応づける固有ＩＤ対応テーブルが記憶されており、コンテンツ配信システム２０ａから固有ＩＤを識別コードと共に受信すると、固有ＩＤ対応テーブルを用いてコンテンツ配信システム２０ａから受信した固有ＩＤを識別コードで特定される会社（コンテンツ配信業者Ａ）の固有ＩＤ（コンテンツ配信業者Ａが付与した固有ＩＤ）に変換して、コンテンツ配信システム２０ａに返信する。
【００４４】
これにより、コンテンツ配信システム２０ａは、他社の固有ＩＤを送信するだけで、対応する自社の固有ＩＤに変換させることができ、再生装置３０から受信したコンテンツ送信リクエストに含まれている固有ＩＤが他社のものであるにも拘わらず、再生装置３０からのコンテンツ送信リクエストに応じたコンテンツのデータファイルを配信することができる。
【００４５】
以上説明したように、第２の実施の形態によれば、各社の固有ＩＤを対応づける固有ＩＤ対応テーブルが記憶されており、固有ＩＤと会社を識別する識別コードとが受信されると、固有ＩＤ対応テーブルを用いて、受信された固有ＩＤを識別コードで特定される会社の固有ＩＤに変換して返信させる固有ＩＤ応答装置６０をネットワーク１０上に設けることにより、例えばコンテンツ配信業界において、各社の固有ＩＤを一元管理することができるため、固有ＩＤ対応テーブルのメンテナンスを容易に行うことができるという効果を奏する。
【００４６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４７】
【図１】本発明に係るコンテンツ配信システムの第１の実施の形態の構成を示すブロック図である。
【図２】図１に示す固有ＩＤ変換部に記憶されている固有ＩＤ対応テーブル例を示す図である。
【図３】図１に示す再生装置で用いられるプレイリスト例を示す図である。
【図４】図１に示すコンテンツ配信システムにおけるコンテンツ配信動作を説明するためのフローチャートである。
【図５】本発明に係るコンテンツ配信システムの第２の実施の形態の構成を示すブロック図である。
【符号の説明】
【００４８】
１０  ネットワーク
２０ａ  コンテンツ配信システム
２０ｂ  コンテンツ配信システム
２１  固有ＩＤ変換部
２２  データベース
２３  リクエスト応答部
２４  送受信部
３０  再生装置
３１  送受信部
３２  情報記録部
３３  表示部
３４  操作部
３５  再生処理部
３６  データ管理部
４０  情報処理装置
５０  ヘッドフォン
６０  固有ＩＤ応答装置
３２１  データファイル記録部
３２２  プレイリスト記録部
【図１】
2007208804.tif 000003
【図２】
2007208804.tif 000004
【図３】
2007208804.tif 000005
【図４】
2007208804.tif 000006
【図５】
2007208804.tif 000007